(57)【要約】本発明は、清掃装置と、機体と、機体に接続されるゴミボックスとを備え、前記ゴミボックスと前記機体とを組み立てたり、分離したりする磁石装置を更に備える着脱し易い掃除機を開示し、従来の技術に比べて、本発明の機体とゴミボックスとは、磁力によって固定されて組み立てられ、構造が簡単であり、ユーザは、速やか且つ便利に機体とゴミボックスとを一体に組み立てたり、取外して分離したりすることができ、ゴミボックスの洗浄を便利にした。
2013544581.tif 000002
【特許請求の範囲】
【請求項１】
清掃装置と、機体と、機体に接続されるゴミボックスとを備える着脱し易い掃除機であって、前記ゴミボックスと前記機体とを組み立てたり、分離したりするための磁石装置を更に備えることを特徴とする着脱し易い掃除機。
【請求項２】
前記磁石装置は、前記機体又はゴミボックスに設けられる磁石塊と、それに応じて前記ゴミボックス又は機体に設けられる鉄塊とを備えることを特徴とする請求項１に記載の着脱し易い掃除機。
【請求項３】
前記ゴミボックスは、垂直に前記機体に接続され、かつ垂直に機体から取外すことができることを特徴とする請求項２に記載の着脱し易い掃除機。
【請求項４】
前記磁石塊又は前記鉄塊には凹室が設けられ、それに応じて前記鉄塊又は前記磁石塊の一端が前記凹室に位置することを特徴とする請求項３に記載の着脱し易い掃除機。
【請求項５】
機体にピン接合される可動柄を更に備えることを特徴とする請求項１〜４のいずれか一項に記載の着脱し易い掃除機。
【請求項６】
前記可動柄には、取付溝が設けられていることを特徴とする請求項５に記載の着脱し易い掃除機。
【請求項７】
前記機体は、前記ゴミボックスの内部に対応する位置に貫通溝が設けられていることを特徴とする請求項５に記載の着脱し易い掃除機。
【請求項８】
前記貫通溝には、透明カバーが設けられていることを特徴とする請求項７に記載の着脱し易い掃除機。
【発明の詳細な説明】
【技術分野】
【０００１】
本発明は、清掃設備技術に関し、特に、着脱し易い掃除機に関する。
【背景技術】
【０００２】
現在、家庭用の掃除機は、機械構造による接続方式によってゴミボックスを掃除機に接続する場合が多く、一部のゴミボックスは、掃除機から直接に取外すことができなく、掃除機にピン接合することになっており、そのように、ユーザの操作が不便になり、且つ構造が複雑であり、また、掃除機から直接に取外すことができるゴミボックスもあるが、取り外し、再組立の過程が複雑であり、かかる時間が多く、且つ操作が不便であった。
【発明の概要】
【発明が解決しようとする課題】
【０００３】
本発明が解決しようとする課題は、ユーザが速やか且つ便利に組み立てたり、取り外したりすることができる着脱し易い掃除機を提供することにある。
【課題を解決するための手段】
【０００４】
上述した技術問題を解決するために、本発明は、清掃装置と、機体と、機体に接続されるゴミボックスとを備え、前記ゴミボックスと前記機体とを組み立てたり、分離したりするための磁石装置を更に備える着脱し易い掃除機を解決方法として提供する。
【０００５】
更に、前記磁石装置は、前記機体又はゴミボックスに設けられる磁石塊と、それに応じて前記ゴミボックス又は機体に設けられる鉄塊とを備える。
【０００６】
更に、前記ゴミボックスは、垂直に前記機体に接続され、且つ垂直に機体から取外すことができる。
【０００７】
更に、前記磁石塊又は前記鉄塊には、凹室が設けられ、それに応じて前記鉄塊又は前記磁石塊の一端が前記凹室に位置する。
【０００８】
更に、機体にピン接合される可動柄を更に備える。
【０００９】
更に、前記可動柄には、取付溝が設けられている。
【００１０】
更に、前記機体は、前記ゴミボックスの内部に対応する位置に貫通溝が設けられている。
【００１１】
更に、前記貫通溝には、透明カバーが設けられている。
【発明の効果】
【００１２】
従来の技術に比べて、本発明の機体とゴミボックスとは、磁力によって固定されて組み立てられ、構造が簡単であり、ユーザは、速やか且つ便利に機体とゴミボックスとを一体に組み立てたり、取外して分離したりすることができ、ゴミボックスの洗浄を便利にした。
【図面の簡単な説明】
【００１３】
【図１】図１は、本発明の好ましい実施例の構造分解図である。
【発明を実施するための形態】
【００１４】
本発明の目的、技術方法及び長所をより分かりやすくするために、以下では、添付図面及び実施例を参照しながら、本発明を更に詳しく説明する。ここで述べる具体的な実施例は、単に本発明を解釈し、本発明を限定するものではないことを理解すべきである。
【００１５】
本発明の機体とゴミボックスとは、磁力によって固定されて組み立てられ、構造が簡単であり、ユーザは、速やか且つ便利に機体とゴミボックスとを一体に組み立てたり、取外して分離したりすることができ、ゴミボックスの洗浄を便利にした。
【００１６】
本発明は、清掃装置と、機体と、機体に接続されるゴミボックスとを備え、前記ゴミボックスと前記機体とを組み立てたり、分離したりするための磁石装置を更に備える着脱し易い掃除機を提供する。
【００１７】
以下、具体的な実施例を参照しながら、本発明の具体的な実現方法を詳しく述べる。
【００１８】
図１に示すように、本発明の好ましい実施例は、清掃装置（未図示）と、機体１と、機体１に接続されるゴミボックス２とを備える着脱し易い掃除機を提供し、機体１とゴミボックス２とを組み立てた後、掃除機が清掃されたゴミを一時保持するための内部空間が形成され、ユーザは、いつでも機体１とゴミボックス２とを分離してゴミボックス２におけるゴミを捨てることができ、本発明は、分離的に機体１とゴミボックス２とに設けられる磁石装置を更に備え、そのように、磁石と鉄との相互的な吸引原理によって、機体１とゴミボックス２は、磁力固定による組立を実現でき、ユーザは、速やか且つ便利に機体１とゴミボックス２とを一体に組み立てたり、取外して分離したりすることができ、且つ構造が簡単である。
【００１９】
更に、磁石装置は、機体１に設けられ、機体１の周辺に沿って分布される磁石塊１１と、それに応じてゴミボックス２に設けられ、ゴミボックス２の周辺に沿って分布される鉄塊２１とを備え、そのように、機体１とゴミボックス２とがより安定に一体に取り付けられ、磁石塊１１と鉄塊２１との位置及び数量がお互いに対応することが保証され、本実施例における磁石塊１１と鉄塊２１はそれぞれ３つであるが、勿論、１つ以上の他の数量であっても良い。本実施例における磁石塊１１は、機体１に設けられており、それに応じて鉄塊２１は、ゴミボックス２に設けられているが、勿論、鉄塊２１が機体１に設けられ、それに応じて磁石塊１１がゴミボックスに設けられるようにしてもよい。
【００２０】
更に、ゴミボックス２は、垂直に機体１に接続され、且つ垂直に機体１から取外すことができ、そのように、ユーザが便利にゴミを捨てるようにして、取り外し過程においてゴミがゴミボックス２から捨てられることがない。
【００２１】
更に、磁石塊１１と鉄塊２１との間の磁力を増強して、機体１とゴミボックス２とをより安定に一体に組み立てるように、磁石塊１１には１つの凹室（未図示）が設けられ、それに応じて鉄塊２１の一端が凹室内に位置するようになっており、且つ組立の時に、このような構造が位置決めの作用を発揮し、ユーザは、速やか且つ便利に組み立てることができる。本実施例における凹室は、磁石塊１１に設けられており、鉄塊２１の一端が磁石塊１１の凹室内に位置するが、勿論、凹室が鉄塊２１に設けられ、磁石塊１１の一端が鉄塊２１の凹室内に位置するようにしてもよい。
【００２２】
更に、本発明は、機体にピン接合され、且つピン接合端を巡って回転することができる可動柄３を更に備え、このような構造によって、ユーザが便利によりよく掃除機を操作するようにし、且つ機体１とゴミボックス２とを取外して分離する時に、ユーザが便利に機体１を引き上げるようにして、速やか且つ便利な取り外しを実現する。
【００２３】
更に、可動柄３は、中空なものであり、且つ取付溝３１が設けられており、取付溝３１が可動柄の内部に連通され、ユーザが便利に可動柄３に外部機器を接続するようにする。
【００２４】
更に、機体１には貫通溝１２が設けられ、貫通溝１２の位置がゴミボックス２の内部に対応しており、且つ貫通溝１２がゴミボックス２の内部に連通され、そのように、機体１の構造を簡単化することができ、機体２の重量を低減させ、且つユーザが便利にゴミボックス２における状況を了解するようにして、ゴミがいっぱいになったり、他の状況が発生したりすると、ユーザは、直ちにゴミボックス２を機体１から取外すことができ、盲目的に取外す現象を避ける。
【００２５】
更に、ゴミボックス２におけるゴミが溢れることを防止するように、貫通溝１２には、透明カバー（未図示）が設けられており、ユーザは、いつでもゴミボックス２におけるゴミがいっぱいになったかどうかを見えて、いつでもゴミを整理してもよい。
【００２６】
以上で述べたのは、本発明の好ましい実施例だけであり、本発明を限定するためのものではなく、本発明の精神と原則の内で行われる修正、同等な置き換え及び改良等は、いずれも本発明の保護範囲にあるものである。
【図１】
2013544581.tif 000003
【国際調査報告】
2013544581.tif 000004
2013544581.tif 000005
2013544581.tif 000006
2013544581.tif 000007
2013544581.tif 000008
2013544581.tif 000009
2013544581.tif 000010
2013544581.tif 000011